(57)【要約】【課題】指掛け機能を持たせつつ使い勝手を向上させることができるポンプ式注出器を提供する。【解決手段】本発明のポンプ式注出器は、容器Ｃの口部に保持される周壁１ｂ、及び周壁１ｂに一体に連結する天面壁１ａを有するベースキャップ１と、容器Ｃの内容液を汲み上げるポンプ３と、内容液をノズル１４ｂの先端開口１４ｃから吐出させるノズルヘッド１４とを備え、ベースキャップ１は、天面壁１ａ上で進退移動可能に設けられ先端開口１４ｃに向けた前進によってノズル１４ｂに対向する姿勢となる指掛け部材２Ａを有するとともに、前進した指掛け部材２Ａの上面に被さって指掛け部材２Ａの持ち上がりを阻止する規制部１ｊを有することを特徴とする。【選択図】図３
2015145252.tif 000002
【特許請求の範囲】
【請求項１】
容器の口部に保持される周壁、及び該周壁に一体に連結する天面壁を有するベースキャップと、該ベースキャップにより該口部に吊下げ保持され該容器の内容液を汲み上げるポンプと、押し下げ及び復元の繰り返しにより該ポンプを駆動させ該ポンプのステムを通して送給される内容液をノズルの先端開口から吐出させるノズルヘッドとを備えるポンプ式注出器において、
前記ベースキャップは、前記天面壁上で進退移動可能に設けられ前記先端開口に向けた前進によって前記ノズルに対向する姿勢となる指掛け部材を有するとともに、前進した該指掛け部材の上面に被さって該指掛け部材の持ち上がりを阻止する規制部を有するポンプ式注出器。
【請求項２】
前記規制部は、前記天面壁から立ち上がる柱部と、該柱部から前記指掛け部材の上面に沿って突出する張出し部とからなり、
該指掛け部材は、該張出し部を挿通させる取り付け孔と、該取り付け孔から後方に向けて延在するとともに該柱部の幅よりも大きく且つ該張出し部の幅よりも小さい幅となるスリットとを有する請求項１に記載のポンプ式注出器。
【請求項３】
前記ベースキャップは、前記天面壁を貫いて前記ステムを挿通させる貫通孔と、該貫通孔を取り囲んで起立するとともにその外面に周方向に沿って延在する溝又は突起を備える筒状壁とを備え、
前記指掛け部材は、前記筒状壁を挿通させる開口の内面に、前記溝又は突起に連係して該指掛け部材を案内するガイド突起又はガイド溝を備える請求項１又は２に記載のポンプ式注出器。
【請求項４】
前記ガイド突起又はガイド溝は、前記開口の内方側に突出して前記指掛け部材を前進、又は後退した位置で保持する狭窄部を有する請求項３に記載のポンプ式注出器。
【請求項５】
前記指掛け部材は、後退によって前記ノズルヘッドの下方に位置して該ノズルヘッドの押し下げを阻止する一方、前進によって該ノズルヘッドの押し下げを許容するストッパー部を有する請求項１〜４の何れか一項に記載のポンプ式注出器。
【発明の詳細な説明】
【技術分野】
【０００１】
本発明は、容器に充填した内容液を外界に向けて吐出させるポンプ式注出器に関するものである。
【背景技術】
【０００２】
シャンプー、ボディソープ、ハンドソープ、洗顔料等の内容液を充填した容器においては、容器の口部に吊下げ保持され、ノズルヘッドを押し下げ及び復元させることでノズルの先端開口から内容液を吐出させるポンプ式注出器を装備したものが多用されている。
【０００３】
この種のポンプ式注出器を備える容器、特に据え置きタイプの容器では、一方の手でノズルヘッドを押し下げるとともに他方の手で内容液を受け取るような、両手で操作を行う場合が多いものの、使用状況によっては片手で操作する場合もあるため、この場合でも簡単に吐出できるものが望まれている。
【０００４】
このような注出器として、例えば特許文献１には、手動式押下げポンプを容器本体の口筒部に固定する組み付けキャップに、ポンプの押し下げ操作において指掛けの機能を発揮する補助部材を装着できるようにしたポンプ式注出器が示されている。この補助部材には外鍔状となる係止板片が設けられているため、片方の手の親指でノズルヘッドを押し下げるに当たって、人差し指等を係止板片の下面に当て付けることができる。これによって内容液を受け取る掌の位置を安定させることができるので、内容液を掌の上に確実に吐出させることができる。また、親指と人差し指等とでノズルヘッドと係止板片とを挟持するようにして操作できるため、ノズルヘッドに効果的に押圧力を付与することができる。
【先行技術文献】
【特許文献】
【０００５】
【特許文献１】特開２０１０−１５５６２３号公報
【発明の概要】
【発明が解決しようとする課題】
【０００６】
ところで特許文献１のポンプ式注出器では、係止板片が常時突出することになるため、指掛けの機能のない従来の注出器での操作に慣れた人には、係止板片が邪魔になることも想定される。この場合、補助部材を外せば従来の容器と同じように使用することができるものの、外した補助部材の置き場を確保する必要がある他、片手で操作しようとするたびに補助部材を取り付ける必要が生じて手間がかかることになる。また、このようなポンプ式注出器を装着した容器にあっては、例えば輸送中のノズルヘッドの不用意な押し下げを防止するために、ベースキャップとノズルヘッドとの間にストッパーを装着しておき、使用前に取り外すことが一般的であるが、取り外したストッパーを紛失してしまい、別の場所へ再度移動させる際に困ることがある。このため、使い勝手の点で未だ改善の余地が残されている。
【０００７】
本発明は、このような問題点を解決することを課題とするものであり、その目的は、指掛け機能を有する従来のポンプ式注出器に対して使い勝手を向上させた、新たなポンプ式注出器を提供することにある。
【課題を解決するための手段】
【０００８】
本発明は、容器の口部に保持される周壁、及び該周壁に一体に連結する天面壁を有するベースキャップと、該ベースキャップにより該口部に吊下げ保持され該容器の内容液を汲み上げるポンプと、押し下げ及び復元の繰り返しにより該ポンプを駆動させ該ポンプのステムを通して送給される内容液をノズルの先端開口から吐出させるノズルヘッドとを備えるポンプ式注出器において、
前記ベースキャップは、前記天面壁上で進退移動可能に設けられ前記先端開口に向けた前進によって前記ノズルに対向する姿勢となる指掛け部材を有するとともに、前進した該指掛け部材の上面に被さって該指掛け部材の持ち上がりを阻止する規制部を有するポンプ式注出器である。
【０００９】
前記規制部は、前記天面壁から立ち上がる柱部と、該柱部から前記指掛け部材の上面に沿って突出する張出し部とからなり、
該指掛け部材は、該張出し部を挿通させる取り付け孔と、該取り付け孔から後方に向けて延在するとともに該柱部の幅よりも大きく且つ該張出し部の幅よりも小さい幅となるスリットとを有することが好ましい。
【００１０】
前記ベースキャップは、前記天面壁を貫いて前記ステムを挿通させる貫通孔と、該貫通孔を取り囲んで起立するとともにその外面に周方向に沿って延在する溝又は突起を備える筒状壁とを備え、
前記指掛け部材は、前記筒状壁を挿通させる開口の内面に、前記溝又は突起に連係して該指掛け部材を案内するガイド突起又はガイド溝を備えることが好ましい。
【００１１】
前記ガイド突起又はガイド溝は、前記開口の内方側に突出して前記指掛け部材を前進、又は後退した位置で保持する狭窄部を有することが好ましい。
【００１２】
前記指掛け部材は、後退によって前記ノズルヘッドの下方に位置して該ノズルヘッドの押し下げを阻止する一方、前進によって該ノズルヘッドの押し下げを許容するストッパー部を有することが好ましい。
【発明の効果】
【００１３】
本発明のポンプ式注出器において、ベースキャップは、天面壁上で進退移動可能に設けられノズルの先端開口に向けた前進によってノズルに対向する姿勢となる指掛け部材を有するとともに、前進した指掛け部材の上面に被さってこの指掛け部材の持ち上がりを阻止する規制部を有するものである。すなわち、指掛け機能が必要な場合は指掛け部材を前進させ、この機能が不要な場合は後退させるという簡単な操作で指掛け機能の有り無しを切り換えることができるため、使い勝手が向上する。
【００１４】
規制部を、天面壁から立ち上がる柱部と、柱部から指掛け部材の上面に沿って突出する張出し部とで構成し、また、指掛け部材を、張出し部を挿通させる取り付け孔と、取り付け孔から後方に向けて延在するとともに柱部の幅よりも大きく且つ張出し部の幅よりも小さい幅となるスリットとで構成する場合は、規制部に係わる構造が簡素化できる。
【００１５】
ベースキャップに、天面壁を貫いてステムを挿通させる貫通孔と、貫通孔を取り囲んで起立するとともにその外面に周方向に沿って延在する溝又は突起を備える筒状壁とを設け、また指掛け部材には、筒状壁を挿通させる開口の内面に、前記溝又は突起に連係して指掛け部材を案内するガイド突起又はガイド溝を設けたので、指掛け部材の進退移動を安定させることができる。
【００１６】
ガイド突起又はガイド溝に、開口の内方側に突出して指掛け部材を前進、又は後退した位置で保持する狭窄部を設ける場合は、指掛け部材の不用意な進退移動が抑制できるので、使い勝手がよくなる。
【００１７】
指掛け部材に、後退によってノズルヘッドの下方に位置してノズルヘッドの押し下げを阻止する一方、前進によってノズルヘッドの押し下げを許容するストッパー部を設ける場合は、従来のように取り外したストッパーを紛失してしまうおそれがなくなるので、使い勝手がよくなる。また、部品点数の削減を図ることができるため、コストや使用材料を抑制することができる。
【図面の簡単な説明】
【００１８】
【図１】本発明に従うポンプ式注出器の一実施形態を、容器の口部に装着した状態で示す断面図である。
【図２】図１に示すポンプ式注出器を容器から取り外して示す平面図である。
【図３】図１の状態に対して指掛け部材を前進させた状態を示す断面図である。
【図４】図３に示すポンプ式注出器を容器から取り外して示す平面図である。
【図５】本発明に従うポンプ式注出器の他の実施形態を、容器の口部に装着した状態で示す断面図である。
【図６】図５に示すポンプ式注出器を容器から取り外して示す平面図である。
【図７】図５の状態に対して指掛け部材を前進させた状態を示す断面図である。
【図８】図７に示すポンプ式注出器を容器から取り外して示す平面図である。
【発明を実施するための形態】
【００１９】
以下、図面を参照して、本発明であるポンプ式注出器の一実施形態を詳細に説明する。なお、本願明細書、特許請求の範囲、及び要約書において「上」方向、「下」方向とは、ポンプ式注出器を容器に装着して実際に使用する状態での向きを示す。また、「前」方向とは、ノズルが指向する向き（ノズルの根元に対して先端開口が位置する向き）であり（図１の左側）、「後」方向とは、その反対方向（図１の右側）である。また、「左」、「右」方向とはノズルの先端開口に向かって（前から後に向かって）ポンプ式注出器を見る際の左右方向を示す。
【００２０】
図１、図２において、符号１は、容器Ｃの口部に保持されるベースキャップである。ベースキャップ１は、中央部から周縁部に向けて僅かに下向きに傾斜する円板状の天面壁１ａと、天面壁１ａの縁部より垂下される円筒状の周壁１ｂを有していて、周壁１ｂの内側に設けたネジ部を容器Ｃの口部に設けたネジ部にねじ込むことで着脱自在に保持される。なお、ベースキャップ１を容器Ｃに保持するには、アンダーカット等、従来知られた他の係合手段を用いてもよい。天面壁１ａは、その中央を貫く貫通孔１ｃを備えるとともに、貫通孔１ｃを取り囲んで起立する筒状壁１ｄを備えている。筒状壁１ｄの上方には、径方向外側に向けて突出する凸部１ｅが設けられている。
【００２１】
また、筒状壁１ｄの外面において、天面壁１ａと筒状壁１ｄとの連結部には、筒状壁１ｄの周方向に沿って延在する溝１ｆが設けられている。更に、天面壁１ａの前方の縁部には、横断面形状が矩形状になる柱部１ｇと、柱部１ｇの上端から左右に突出する張出し部１ｈとが設けられ、この柱部１ｇと張出し部１ｈとで、後述する指掛け部材の持ち上がりを阻止する規制部１ｊを構成している。また、天面壁１ａの後方の縁部には、凹み１ｋが設けられている。
【００２２】
またベースキャップ１は、天面壁１ａ上で進退移動可能に設けられる指掛け部材２Ａを備えている。本実施形態の指掛け部材２Ａは板状をなすものであり、その詳細な形状は、図１に示すように側面視では、前方に向けて僅かに下向きに傾斜するとともに前方端を下向きに延在させた形状となるものであり、図２に示すように平面視では、前方を矩形状とし後方をトラック状とする形状となるものである。
【００２３】
また、図２に示すように指掛け部材２Ａは、その前方において、張出し部１ｈを挿通させる取り付け孔２ａと、この取り付け孔２ａから後方に向けて延在するスリット２ｂとを備えている。ここで、スリット２ｂの幅Ｗ１は、柱部１ｇの幅Ｗ２よりも大きく、且つ張出し部１ｈの幅Ｗ３よりも小さくなっている。
【００２４】
また、指掛け部材２Ａの中央部には、この指掛け部材２Ａを貫通するとともに、平面視において２つの円形部を前後にずらして重ねた形状となる開口２ｃが設けられている。開口２ｃの内面には、下方を内側に突出させた形状をなし筒状壁１ｄの溝１ｆに連係するガイド突起２ｄが設けられている。ガイド突起２ｄは、平面視において２つの円形部が重なる部位で開口２ｃの内方側に突出しており、この部位が向かい合うガイド突起２ｄ間の隙間を狭くする狭窄部２ｅとなっている。
【００２５】
なお、指掛け部材２Ａをベースキャップ１に取り付けるに当たっては、図１、図２に示すように、開口２ｃの前方の円形部を筒状壁１ｄに合わせ、また取り付け孔２ａを張出し部１ｈに合わせて上方から下方へ押し下げればよい。
【００２６】
符号３は、ベースキャップ１によって容器Ｃの口部に吊下げ保持され、容器Ｃに充填した内容液を汲み上げるポンプである。本実施形態のポンプ３は、小径筒体４ａと大径筒体４ｂとを直列状に配置した形態をなすシリンダー４に、内容液用ピストン５、ポペット６、ステム７、スプリング８、ボール弁９、ジェットリング１０、空気用ピストン１１、逆止弁１２を組み込んだものであり、ステム７の押し下げ及び復帰によって、内容液と空気とをそれぞれ個別に吸引、加圧した後、これらを合流させて圧送するものである。シリンダー４の上方には径方向外側に延在するフランジ４ｃが設けられていて、容器Ｃに垂下保持されるに当たっては、このフランジ４ｃの下面側にパッキンＰを設け、容器Ｃの口部との間でパッキンＰを挟み込むようにしている。
【００２７】
また、ジェットリング１０の内側には、ポンプ３から圧送された内容液及び空気を発泡させるメッシュリング１３が配されている。本実施形態のメッシュリング１３は、リング状となる本体部の一端部にメッシュが取り付けられたものであり、合計２個のメッシュリング１３を、それぞれのメッシュが外側を向くように（メッシュを設けていない側が合わせ目となるように）して取り付けている。
【００２８】
また、ジェットリング１０の上部には、ノズルヘッド１４が設けられている。ノズルヘッド１４には、ジェットリング１０に嵌合保持される内側筒状部１４ａが設けられている。またノズルヘッド１４には、内側筒状部１４ａにつながるとともに横向きに延在するノズル１４ｂが設けられていて、ノズル１４ｂの先端には、内容液の吐出口となる先端開口１４ｃが形成されている。また、内側筒状部１４ａの径方向外側には、外側筒状部１４ｄが設けられていて、外側筒状部１４ｄの下端には、リング部材１５が嵌合保持されている。またリング部材１５には、ベースキャップ１の凸部１ｅに向けて突出してノズルヘッド１４の下方から水等が浸入することを防止する凸部１５ａが設けられている。
【００２９】
符号１６は、ノズルヘッド１４の不用意な押し下げを防止するストッパーである。詳細な図は省略するが、本実施形態のストッパー１６は、筒状となる側壁の一部を軸線に沿って切り欠いた形状をなす保持部と、この保持部の切り欠きとは反対側から突出する摘み部とを備えるものである。そして、ベースキャップ１の天面壁１ａとリング部材１５との相互間に保持部を差し込んでそのまま押し込むことで、筒状壁１ｄに装着することができる。なお、ストッパー１６を取り外すには、摘み部に手を掛けて筒状壁１ｄから引き抜けばよい。
【００３０】
このようなポンプ式注出器から容器Ｃに充填した内容液を吐出するに当たり、指掛け機能を必要としない場合（例えば両手で操作する場合）は、図１に示すように指掛け部材２Ａを後退させておけば、指掛け部材２Ａが邪魔になることがないので、指掛け機能を持たない従来の注出器と同様にして内容液を吐出することができる。なお、図２に示すように、ガイド突起２ｄに設けた向かい合う狭窄部２ｅ間の隙間は、筒状壁１ｄに設けた溝１ｆの最大径よりも僅かに小さくなっているので、指掛け部材２Ａは、後退した位置で保持される。
【００３１】
一方、指掛け機能を必要とする場合（例えば片手で操作する場合）は、図３、図４に示すように、指掛け部材２Ａに対し、後方から前方へ向かう力を付与する。指掛け部材２Ａの後端は、図１に示すようにベースキャップ１の後方に設けた凹み１ｋよりも突出しているので、力が加えやすくなっている。また、狭窄部２ｅ間の隙間と溝１ｆの最大径との差は僅かであるので、多少の抵抗をもって指掛け部材２Ａを前進させることができる。そして、指掛け部材２Ａのガイド突起２ｄは、ベースキャップ１の溝１ｆに連係しているので、このガイド突起２ｄと溝１ｆとによって指掛け部材２Ａを案内することができ、安定的に移動させることができる。これにより、前進した指掛け部材２Ａをノズル１４ｂに対向させることができる。
【００３２】
この状態から内容液を吐出させるには、掌を上に向けるとともに、親指をノズルヘッド１４の上面に、また人差し指等を指掛け部材２Ａの下面に当て付ける。これによって内容液を受け取る掌の位置を安定させることができるので、内容液を確実に受け取ることができる。また、これらの指でノズルヘッド１４と指掛け部材２Ａとを挟持するようにしてノズルヘッド１４を押し下げる。ここで、図３、図４に示すように前進した指掛け部材２Ａの上面には、ベースキャップ１の張出し部１ｈが被さっているので、指掛け部材２Ａの持ち上がりが有効に防止される。このため、ノズルヘッド１４には力が効果的に付与されることになる。また、ノズルヘッド１４を押し下げるに当たって、指掛け部材２Ａの前方端は下向きに延在しているので、指掛け部材２Ａからの人差し指等の外れが有効に防止できる。なお、例えば図３に仮想線で示すように、容器Ｃに対してノズルヘッド１４を回転させてノズル１４ｂを後ろ向きに指向させれば、両手で操作する際にも指掛け部材２Ａが邪魔になることがない。
【００３３】
次に、本発明に従う他の実施形態のポンプ式注出器について、図５〜図８を参照しつつ説明する。なお、上述した実施形態と同一の機能を有する部位は、同一の符号を付して説明を省略する。
【００３４】
図５、図６において、指掛け部材２Ｂは、上方へ向けて起立し、平面視で半円状となる板状のストッパー部２ｆを備えている。ストッパー部２ｆは、指掛け部材２Ｂを後退させた際にノズルヘッド１４の下方（本実施形態では、リング部材１５の下方）に位置するものであり、これによって、ノズルヘッド１４の不用意な押し下げが防止でき、また、従来の注出器に別部材として設けていたストッパーが不要になる。なお、図７、図８に示すように、指掛け部材２Ｂを前進させた際は、ストッパー部２ｆは、ノズルヘッド１４よりも前方に位置することになるので、ノズルヘッド１４を押し下げて内容液を吐出することができる。
【００３５】
また、指掛け部材２Ｂの下面には、後方、及び左右の合計３箇所で直線状に延在する幅広の凹部２ｇと、後方の凹部２ｇに連結するとともに前方へ向けて湾曲して延在する合計２個の幅狭の凹部２ｈが設けられている。これらの凹部２ｇ、２ｈによって、使用の際に指掛け部材２Ｂと他の部材との隙間に溜まる水等を、例えば指掛け部材２Ｂを移動させることによって排出することができる。また、これらの凹部２ｇ、２ｈを設けたことによって、使用する樹脂量も削減することができる。
【００３６】
本発明に従うポンプ式注出器は、本実施形態に限定されるものではなく、特許請求の範囲に従う範囲で種々の変更が可能である。例えば、ポンプは上述した態様のものに限られず、従来知られた他の態様のポンプを用いることもできる。また、所望する内容液の性状に応じて、上述したメッシュリングの個数や配置、またこれを設けるか否かについても選択することができる。規制部としては、ベースキャップの天面壁に、指掛け部材の側縁に係合する爪部を設け、この爪部で指掛け部材の持ち上がり防止するようにしてもよい。また、筒状壁に設けた溝と指掛け部材に設けたガイド突起との組み合わせを相互に入れ換えるようにして、筒状壁に突起を設け、溝掛け部材にガイド溝を設けてもよい。
【産業上の利用可能性】
【００３７】
本発明のポンプ式注出器によれば、指掛け機能を有する従来のポンプ式注出器に対して使い勝手がよくなる、新規のポンプ式注出器を提供することができる。
【符号の説明】
【００３８】
１  ベースキャップ
１ａ  天面壁
１ｂ  周壁
１ｃ  貫通孔
１ｄ  筒状壁
１ｅ  凸部
１ｆ  溝
１ｇ  柱部
１ｈ  張出し部
１ｊ  規制部
１ｋ  凹み
２Ａ、２Ｂ  指掛け部材
２ａ  取り付け孔
２ｂ  スリット
２ｃ  開口
２ｄ  ガイド突起
２ｅ  狭窄部
２ｆ  ストッパー部
２ｇ  凹部
２ｈ  凹部
３  ポンプ
４  シリンダー
４ａ  小径筒体
４ｂ  大径筒体
４ｃ  フランジ
５  内容液用ピストン
６  ポペット
７  ステム
８  スプリング
９  ボール弁
１０  ジェットリング
１１  空気用ピストン
１２  逆止弁
１３  メッシュリング
１４  ノズルヘッド
１４ａ  内側筒状部
１４ｂ  ノズル
１４ｃ  先端開口
１４ｄ  外側筒状部
１５  リング部材
１５ａ  凸部
１６  ストッパー
Ｃ  容器
Ｐ  パッキン
Ｗ１  スリットの幅
Ｗ２  柱部の幅
Ｗ３  張出し部の幅
【図１】
2015145252.tif 000003
【図２】
2015145252.tif 000004
【図３】
2015145252.tif 000005
【図４】
2015145252.tif 000006
【図５】
2015145252.tif 000007
【図６】
2015145252.tif 000008
【図７】
2015145252.tif 000009
【図８】
2015145252.tif 000010